(57)【要約】      （修正有） 【課題】マスクの表面の図柄、色彩を選択でき、着衣に似合ったものを使用でき、しかも呼気の抵抗が低いマスクを提供する。【解決手段】マスク１１は、平坦な布地を素材として、顔面の少なくとも口鼻を覆うことのできるマスクカバー１２と、マスクカバー１２と顔面の間に介在され、ウイルスや花粉などを捕集するフィルター１３と、マスクカバー１２の一部に取り付けられて、吸気の時は閉鎖し、呼気の時は開放して息を一方向にのみ流動させることができるバルブ機構１４、１５とから構成されている。【選択図】図２
0003155829.tif 000002
【実用新案登録請求の範囲】
【請求項１】
平坦な布地を素材として、顔面の少なくとも口鼻を覆うことのできるマスクカバーと、マスクカバーと顔面の間に介在され、ウイルスや花粉などを捕集するフィルターと、マスクカバーの一部に取り付けられて、吸気の時は閉鎖し、呼気の時は開放して息を一方向にのみ流動させることができるバルブ機構とから構成されたことを特徴とするマスク。
【請求項２】
平坦な布地を素材として、顔面の少なくとも口鼻を覆うことのできるマスクカバーと、マスクカバーと顔面の間に介在され、ウイルスや花粉などを捕集するフィルターと、マスクカバーの鼻を中心として左右の位置に開口させた一対の弁穴と、フィルターの鼻を中心として左右の位置に開口させた一対の弁穴と、マスクカバーとフィルターのそれぞれの弁穴に挿通され、吸気の時は閉鎖し、呼気の時は開放して息を一方向にのみ流動させることができる一対のバルブ機構とから構成されたことを特徴とするマスク。
【請求項３】
前記マスクカバーは左右２枚の布地から成り、前記フィルターは左右２枚の不織布から成り、マスクカバーの布地片とフィルターの不織布片のそれぞれの対向する縁は逆向きに円弧形に切断され、右側のマスクカバーの布地片と左側のマスクカバーの布地片の対向する縁を縫い合わせ、右側のフィルターの不織布片と左側のフィルターの不織布片の対向する縁を溶着し、マスクカバーとフィルターを左右に広げると鼻の形のように立体形となるように構成されたことを特徴とする請求項１又は２記載のマスク。
【請求項４】
前記フィルターは、少なくとも４枚の機能の異なる不織布を重ね合わせることで形成したことを特徴とする請求項１又は２記載のマスク。
【請求項５】
前記フィルターの前面の上部には、フィルターの裏面を鼻の表面に密着できるように変形させてその形状を保持できるノーズフィッターを固着したことを特徴とする請求項１又は２記載のマスク。
【請求項６】
前記バルブ機構は、その内部に前後に空気を流動できる開口を設け、開口の周囲には弁座を設け、弁座と接離することで空気の流動を制御する弁膜を着脱自在に配置したことを特徴とする請求項１又は２記載のマスク。
【考案の詳細な説明】
【技術分野】
【０００１】
本考案は、日常生活における抗ウイスルや花粉症対策に有効なマスクに関し、特に、吐息抵抗が少なくてファッション性の高いマスクに関する。
【背景技術】
【０００２】
人を介して伝染するウイルスを防ぐためには、冬季或いはウイスル発生時に人込みのある場所に出掛けるときにはマスクをして防御するものである。また、春季に多く発生する杉花粉を吸引するとで引き起こされる花粉症を防ぐためにもマスクを着用することがある。
【０００３】
従来から使用されているマスクでは、使い捨てるために不織布を用いたものが多く使用されていた。この不織布製のマスクでは、安価に製造することができるが色彩が単色であり、白色、薄青色、薄桃色などであり、素材そのものの色彩のみが表面に出ていた。このため、実用的ではあるが使用している人達の顔面を同じような色彩のマスクで覆っていて、個性的ではなく単調なものであった。顔面のほとんどを覆うマスクが単色であると、どの人達も同じ顔つきとなり、特定の人の区別がつきにくいものであった。
【０００４】
また、マスクの色彩に選択できる余地がなく、前述したような単調な単色の色彩しか入手できなかった。すると、マスクを使用している人の着衣とマスクの色彩とがアンバランスとなり、外観が悪くなるものであった。女性の場合、例えばコートの色彩、柄とスカートの色彩、柄とは組み合わせが良好となるように選別するのが通常である。だが、マスクではその色彩、柄を選択できる余地がないことから、マスクと着衣の間ではちぐはぐな感じを受けることもあった。このことから、着衣の色彩、柄に合わせて、マスクの色彩、柄を取捨選択できるような種類の豊富さが求められていた。
【０００５】
そして、マスクに使用する不織布では、ウイルスや花粉を効率よく補集しようとすると不織布の厚さが増し、呼吸することが困難になりやすいものであった。呼吸を楽にしようとすると不織布の厚さを薄くしなければならず、ウイルスや花粉を確実の補集することができ難くなるものであった。不織布の厚さは、その効果と使用感を良好にさせるには相反するものであった。
【先行技術文献】
【特許文献】
【０００６】
【特許文献１】特開昭６１−２２８８８３号公報
【特許文献２】特表２００５−５１０３１４号公報
【特許文献３】特開２００９−６６２９７号公報
【特許文献４】特開２００８−１１３９２２号公報
【考案の開示】
【考案が解決しようとする課題】
【０００７】
このように、従来から市中で入手できるマスクでは、その製造を簡単にするため、不織布をそのまま外部に露出させたままの形態で製造することから、色彩、柄が単純、単色なものとなり、ファッションとは縁遠いものであった。
【０００８】
日常的に着衣について関心のある若い女性にとっては、顔面の大部分を覆うマスクの色彩、柄についての取捨選択の幅が薄いことは、その着衣とのマッチングができず不便なことであった。
【０００９】
また、ウイルス、花粉などを不織布で補集させるためには、不織布を厚くしなければならないが、その効果が高まると逆に呼吸が困難になるという相反する性能を持っていた。
【００１０】
本考案では、不織布を使用したフィルターに布製のマスクカバーを密着させ、マスクカバーの色彩、柄を多数用意することにより、着衣との整合性を良好にし、マスクをした外観のバランスを良好にさせることを目的としている。
【００１１】
また、本考案では、フィルターとは別に弁機構をマスクに取り付け、呼気ではフィルターを通過させないようにして呼吸の負担を軽くさせることを目的としている。
【課題を解決するための手段】
【００１２】
本考案は、平坦な布地を素材として、顔面の少なくとも口鼻を覆うことのできるマスクカバーと、マスクカバーと顔面の間に介在され、ウイルスや花粉などを捕集するフィルターと、マスクカバーの一部に取り付けられて、吸気の時は閉鎖し、呼気の時は開放して息を一方向にのみ流動させることができるバルブ機構とから構成されたことを特徴とするマスクを提供するものである。
【００１３】
本考案は、平坦な布地を素材として、顔面の少なくとも口鼻を覆うことのできるマスクカバーと、マスクカバーと顔面の間に介在され、ウイルスや花粉などを捕集するフィルターと、マスクカバーの鼻を中心として左右の位置に開口させた一対の弁穴と、フィルターの鼻を中心として左右の位置に開口させた一対の弁穴と、マスクカバーとフィルターのそれぞれの弁穴に挿通され、吸気の時は閉鎖し、呼気の時は開放して息を一方向にのみ流動させることができる一対のバルブ機構とから構成されたことを特徴とするマスクを提供するものである。
【００１４】
本考案は、前記マスクカバーは左右２枚の布地から成り、前記フィルターは左右２枚の不織布から成り、マスクカバーの布地片とフィルターの不織布片のそれぞれの対向する縁は逆向きに円弧形に切断され、右側のマスクカバーの布地片と左側のマスクカバーの布地片の対向する縁を縫い合わせ、右側のフィルターの不織布片と左側のフィルターの不織布片の対向する縁を溶着し、マスクカバーとフィルターを左右に広げると鼻の形のように立体形となるように構成されたことを特徴とするマスクを提供するものである。
【００１５】
本考案は、前記フィルターは、少なくとも４枚の機能の異なる不織布を重ね合わせることで形成したことを特徴とするマスクを提供するものである。
【００１６】
本考案は、前記フィルターの前面の上部には、フィルターの裏面を鼻の表面に密着できるように変形させてその形状を保持できるノーズフィッターを固着したことを特徴とするマスクを提供するものである。
【００１７】
本考案は、前記バルブ機構は、その内部に前後に空気を流動できる開口を設け、開口の周囲には弁座を設け、弁座と接離することで空気の流動を制御する弁膜を着脱自在に配置したことを特徴とするマスクを提供するものである。
【考案の効果】
【００１８】
本考案のマスクでは、顔面の表に現れるマスクカバーを布地で形成したので、各種の図柄、色彩をその表面に表現することができ、着衣の図柄、デザインとマッチした図柄、色彩のマスクを選択して使用することができる。
【００１９】
本考案のマスクにはバルブ機構を取り付けてあるため、呼気をする際に息がスムースに排出することができ、息苦しくなく人体に負担をかけないものである。
【考案を実施するための最良の形態】
【００２０】
以下、本考案に係るマスクの一実施形態について図面を参照して説明する。
【００２１】
図１乃至図１１は、本考案の第一の実施形態を示すものである。図１では、本考案のマスク１１を着用して、ウイルス、花粉、塵埃などから人体を保護している状態を示すものである。マスク１１は柔軟性のある布素材で構成され、鼻Ｃから顎までの頬Ｂの大半を覆うようにして装着されている。マスク１１の両側には耳掛け紐２３が取り付けてあり、耳掛け紐２３はＵ字状をして両側の耳Ｄに掛けられ、マスク１１全体が頬Ｂから落ちないようにしている。マスク１１の前面の左右にはバルブ機構１４、１５が取り付けてあり、このバルブ機構１４、１５は息を吐く時だけ弁が開き、吸気するときは弁が閉じるようになっていて、呼気をする時には肺に負担がかからない効果がある。
【００２２】
マスク１１の表側は柔軟性のある布片であることから、各種の図柄に印刷した布地や各種の色彩に染めた布地を選択して使用できる。今までのような単色や無地の色彩ではなく、マスク１１の表側には図柄や色彩を自由に表現することができる。このため、マスク１１の図柄や色彩を多数種類用意しておけば、マスク１１を着用した人の着衣とマッチした図柄や色彩を選ぶことができることになる。
【００２３】
図２はマスク１１を構成する部品を分離して示したもので、マスク１１は大きく分けてマスクカバー１２、フィルター１３、バルブ機構１４、１５、キャップ１６、１７の部品から構成されている。マスクカバー１２の表面は布片が用いられ、その裏側には網目の荒いメッシュ片を密着した二重構造となっていて、マスク１１を着用したときには肌にメッシュ片が密着するようになっている。平坦な布片であっては、汗が布片と肌の間で湿り、不快になることがある。しかし、布片と肌の間にメッシュ片を介在させることで、汗を滞留せずに肌を乾燥させることができるため爽快感を維持できる。マスクカバー１２の左右の側面には、それぞれ耳掛け紐２３、２４の両端が連結されていて、耳掛け紐２３の途中には長さを調整するためのアジャスター２５が挿通してあり、アジャスター２５の後部にはリング２７が挿通してある。同様に、耳掛け紐２４の途中には長さを調整するためのアジャスター２６が挿通してあり、アジャスター２６の後部にはリング２８が挿通してある。
【００２４】
次に、マスクカバー１２の裏面（メッシュ布片がある、装着状態では肌に密着する内側の面）には、ウイルス、花粉、塵埃などを捕集するフィルター１３を位置させてあり、フィルター１３の下部左右には通気穴２９、３０を開口してある。フィルター１３は複数層の不織布を重ね合わせて形成したものであり、ウイルス、花粉、塵埃などを捕集する能力が高く、保湿性の高い性能がある。
【００２５】
バルブ機構１４、１５は空気の流動を制御できる弁を内蔵したもので、吸気の際には閉じていて、呼気の際には開くように動作するものである。バルブ機構１４は通気穴２１と２９に挿入され、フィルター１３の裏側からバルブ機構１４にキャップ１６を噛み合わせるこでバルブ機構１４をマスクカバー１２に固定する。同様に、バルブ機構１５は通気穴２２、３０に挿通され、フィルター１３の裏側からバルブ機構１４にキャップ１７を噛み合わせるこでバルブ機構１５をマスクカバー１２に固定する。
【００２６】
図３、図４は、図２で示したマスクカバー１２を部材から組み立てる手順を説明したものである。
【００２７】
マスクカバー１２を構成する部材は、図３で示すように右前布３５、左前布３６、右メッシュ布３７、左メッシュ布３８の４つの布地の切断片から成り立っている。右前布３５、左前布３６はそれぞれマスク１１の表面に位置するもので、レーヨンやポリエステルなどの繊維を平織したような平坦な素材を使用している。右メッシュ布３７、左メッシュ布３８はそれぞれマスク１１の裏側に位置するもので、ポリエステルのような腰の強い太い糸で目を荒くして織り上げた素材を使用していて、織り目と織り目の間には大きな空間があって空気の流動が良好なものである。
【００２８】
この右前布３５と右メッシュ布３７は同じ形状であり、左前布３６と左メッシュ布３８は同じ形状である。右前布３５と左前布３６とは反転した対称形となっていて、右メッシュ布３７と左メッシュ布３８とは反転した対称形になっている。つまり、４つの布片はそれぞれ同じ形状であって、左右に反転しているかどうかの相違である。このため、右前布３５の形状を説明し、他の布片の形状を省略する。
【００２９】
右前布３５の鼻側、すなわち図３の左側は弓型に湾曲した鼻ライン３９が形成され、右前布３５の上側の辺では左から右に向かってなだらかに下がった曲線となった上ライン４１が形成され、右前布３５の右側の辺では上側から下側に向かって少し内側（左方向）に向かって少し湾曲した耳ライン４３が形成され、右前布３５の下側の辺では左側から右側に向かって少し持ち上げられるように傾斜した直線状の下ライン４５が形成されている。これらの鼻ライン３９、上ライン４１、耳ライン４３、下ライン４５により、変形した四辺形が形作られていて、やや菱のような形状となっている。さらに、右前布３５の中央より斜め下方に変位した位置には弁穴４７が開口してあり、耳ライン４３に近い上下の位置にはハトメ穴４９、５０が開口してある。弁穴４７はバルブ機構１４を挿入するもので、比較的大きく、ハトメ穴４９、５０はハトメを挿入するためのもので、比較的小さいものである。
【００３０】
左前布３６は、右前布３５と左右対象の形状であり、左前布３６と同様に鼻ライン４０、上ライン４２、耳ライン４４、下ライン４６、弁穴４８、ハトメ穴５１、５２がそれぞれ形成されている。
【００３１】
右メッシュ布３７は、右前布３５と同一の形状であり、右前布３５と同様に鼻ライン５５、上ライン５７、耳ライン５９、下ライン６１、弁穴６３、ハトメ穴６５、６６がそれぞれ形成されている。
【００３２】
左メッシュ布３８は、右メッシュ布３７と左右対象の形状であり、右メッシュ布３７と同様に鼻ライン５６、上ライン５８、耳ライン６０、下ライン６２、弁穴６４、ハトメ穴６７、６８がそれぞれ形成されている。
【００３３】
これらの４つの布片を縫い合わせるには、右メッシュ布３７の表面に右前布３５を重ね、左メッシュ布３８の表面に左前布３６を重ね、鼻ライン３９と４０と５５と５６とをその曲線に沿って縫合する。縫合した部分は縫い目７６となり、丁度人体の鼻が隠れる形状となる。各布片は同一形状、或いは左右対象の形状であることから、弁穴４７と６３が一致し、弁穴４８と６４が一致し、ハトメ穴４９と６５、５０と６６、５１と６７、５２と６８の位置が同一となる。その状態で、ハトメ穴４９、６５にハトメ７１を、ハトメ穴５０、６６にハトメ７２を、ハトメ穴５１、６７にハトメ７３を、ハトメ穴５２、６８にハトメ７４をそれぞれ挿入してかしめることで固定する。こうすることにより、右前布３５と右メッシュ布３７が重合され、左前布３６と左メッシュ布３８が重合され、４つの布片は一体となって形成される。
【００３４】
このようにして組み立てられた状態が図３中（・）で示される。曲線である鼻ライン３９、４０、５５、５６が縫い目７６で縫い合わされているため、折り畳んだ時には平坦なのであるが、耳ライン４３と４４の両側を左右に開くと、鼻ライン３９、４０、５５、５６の曲線に沿って立体的に立ち上がり、図３中（・）で示されるように中央が立ち上がった形状になる。この形状では、人体の顔面の形となって、鼻、口を隠して頬にピッタリと密着させることができる。
【００３５】
さらに、図３（・）のように組み立てた半製品をマスクカバー１２として完成するには、耳掛け紐２３、２４と縁取りをしなければならず、その工程は図４において説明する。
【００３６】
図４では、図３（・）で示したマスクカバー１２の半製品をひっくり返して裏側を見せた状態である。
【００３７】
まず、半製品の周囲に縁布を縫い合わせ、４枚の布片の周囲を露出させず、かつ、全体に強度を持たせることになる。
【００３８】
前述した右前布３５、左前布３６、右メッシュ布３７、左メッシュ布３８の上ライン４１、４２、５７、５８の縁には、柔軟な布を帯状に切断した上縁布８１を折り曲げて被せ、上縁布８１の上から表裏に縫い合わせることで縁取りをする。同様に、下ライン４５、４６、６１、６２の縁には、柔軟な布を帯状に切断した下縁布８４を折り曲げて被せ、下縁布８４の上から表裏に縫い合わせることで縁取りをする。また、耳ライン４３、５９の縁には、柔軟な布を帯状に切断した右縁布８２を折り曲げて被せ、右縁布８２の上から表裏に縫い合わせることで縁取りをする。さらに、耳ライン４４、６０の縁には、柔軟な布を帯状に切断した左縁布８３を折り曲げて被せ、左縁布８３の上から表裏に縫い合わせることで縁取りをする。このようにして縁取りすることにより、右前布３５、左前布３６、右メッシュ布３７、左メッシュ布３８の周囲は、上縁布８１、右縁布８２、左縁布８３、下縁布８４が縫い付けられ、同時にに４枚の布片が剥がれないように一体に形成される。
【００３９】
次に、耳掛け紐２３の一端をハトメ７１に挿入し、右メッシュ布３７の裏側で耳掛け紐２３の一端を結んで結び目８６とする。次いで、耳掛け紐２３の他端をハトメ７２に挿入し、右メッシュ布３７の裏側で耳掛け紐２３の他端を結んで結び目８７とする。また、耳掛け紐２４の一端をハトメ７３に挿入し、左メッシュ布３８の裏側で耳掛け紐２４の一端を結んで結び目８８とする。さらに、耳掛け紐２４の他端をハトメ７４に挿入し、左メッシュ布３８の裏側で耳掛け紐２４の他端を結んで結び目８９とする。これらの結び目８６、８７、８８、８９により、左右の耳掛け紐２３、２４はハトメ７１、７２、７３、７４から抜け落ちることがなくなる。耳掛け紐２４がハトメ７３から抜けないように、耳掛け紐２４を結んだ状態は、図３中の円形に拡大した図に示される。
【００４０】
図５は、図２におけるフィルター１３を素材から組み立てる手順を説明するものである。
【００４１】
フィルター１３は、右フィルター片９１、左フィルター片９２、ノーズフィッター９３の３つの部材から構成されている。右フィルター片９１と左フィルター片９２は左右が反転した対称形となっていて、同一形状であることから、右フィルター片９１の形状を説明し、左フィルター片９２については省略する。
【００４２】
右フィルター片９１の鼻側（図５中左側）は円弧形の曲線をした鼻ライン９６が形成され、上側は左から右に向けて傾斜したやや直線状の上ライン９８が形成され、右フィルター片９１の耳側（図５中右側）は上方から下方に向けてやや直線状となった耳ライン１００が形成され、下側では左から右に向けて傾斜したやや直線状の下ライン１０２が形成されている。上ライン９８と耳ライン１００の接合点、耳ライン１００と下ライン１０２の接合点はそれぞれ丸みを持たせてあり、右フィルター片９１全体は鱗のような四辺形となっている。そして、右フィルター片９１の中心より少し下方で左側に変位した位置には、弁穴１０４を開口してある。
【００４３】
左フィルター片９２は、右フィルター片９１とは左右対象形となっていて、その周囲には、鼻ライン９７、上ライン９９、耳ライン１０１、下ライン１０３、が形成され、弁穴１０５を開口してある。
【００４４】
また、ノーズフィッター９３は、例えばアルミニュームや硬質樹脂のような素材を用い、多少の力で変形し、その変形された形状を維持できる素材から形成されている。
【００４５】
これら３つの部材からフィルター１３を組み立てるには、右フィルター片９１と左フィルター片９２の鼻ライン９６、９７を合わせて、両者の縁を熱融着で固着する。すると、両鼻ライン９６、９７は融着により連続して結合され、結合線１０７となって右フィルター片９１と左フィルター片９２が一体化される。そして、右フィルター片９１と左フィルター片９２の前面上部の間にはノーズフィッター９３を配置し、ノーズフィッター９３の両端を右フィルター片９１と左フィルター片９２の表面に熱融着させることで固定する。
【００４６】
このような手順で組み立てられたフィルター１３が図５（・）で示されている。この図５（・）で示されたフィルター１３は、右フィルター片９１と左フィルター片９２を両側に広げ、ノーズフィッター９３を直線的に変形させた状態を示すものであり、この状態では結合線１０７は鼻ライン９６、９７の曲線により立体的に立ち上がり、人体の鼻や口を覆うことができるような形状に変化する。なお、右フィルター片９１と左フィルター片９２を折り畳むと、ノーズフィッター９３はその中央で折り曲げられ、右フィルター片９１と左フィルター片９２の内面は密着して平面となるように変形させることができる。
【００４７】
この右フィルター片９１、左フィルター片９２は、通気性があり、かつ、ウイルス、花粉、細菌、塵埃などを捕集する機能を持った素材で構成してある。従来からマスクに使用されている単一枚の不織布であっても一応の機能は果たすことができるが、良好な効果を得るためには異なった機能を有する不織布を複数枚重ねた素材が好ましいものである。例えば、抗ウイルス性の加工を施したフルテクト（シキボウ株式会社の登録商標、レーヨンとポリプロピレンの半分づつを混入させた素材）とバクテリア捕集に高機能を持たせた不織布の２枚を重ね合わせ、その２枚の素材の表裏にそれぞれポリプロピレン製の不織布を重ねて四層にし、これらを一体にした四層構造の不織布を用いると、ウイルス感染価を減少させ、高機能の不織布で花粉、細菌、バクテリア、塵埃などを効率良く捕集することができるものである。また、不織布を単層にしたのではなく、四層にして厚くしたことから、保湿性が良くなり、柔らかくなることから肌触りも良好となる。なお、この例示のような不織布でなくとも、多層に重ね合わせることでフィルターとして、抗ウイルス、花粉症対策を効果的に行うことができる素材は他にも考えられる。
【００４８】
図６は、図２で示したバルブ機構１４とキャップ１６の外観を示すものであり、一組のバルブ機構１４とキャップ１６を結合することにより、両者をマスクカバー１２とフィルター１３に装着することができ、かつ、フィルター１３をマスクカバー１２に取り付ける作用が出てくる。バルブ機構１４はバルブ機構１５と同じ構造で、キャップ１６はキャップ１７と同じ構造である。このため、他の一組のバルブ機構１５とキャップ１７の構造の説明は省略する。
【００４９】
図７は、バルブ機構１４を開いた状態を示しており、バルブ機構１４の内部を図示している。バルブ機構１４は、本体１１１、蓋部１１２、ヒンジ１１３とから構成されていて、これら３つの部位は射出形成などにより一体に成形されている。ヒンジ１１３の部分の肉厚は薄く成形してあるため、本体１１１に対して蓋部１１２はヒンジ１１３を回動の中心として、百八十度の角度で回動でき、開いたり閉じたりすることができる。バルブ機構１４の基幹をなす本体１１１は、正面から見ると全体が馬蹄形をしていて、その全体を支える基盤はベース１１５である。ベース１１５は平坦な形状であり、その中心には図７中下方に向けて円筒形をした係合筒１３８を連接してあり、係合筒１３８により上下方向に開口した通気穴１１９が開けられたことになる。係合筒１３８の内部空間には、その軸線とは直角方向に補強を兼ねた支柱１２０が架け渡してあり、支柱１２０のヒンジ１１３に近い位置には図７で手前方向に向けて弁ピン１２１が突起してある。また、係合筒１３８の内周面には一対のスクリュー１２５、１２６が形成してあり、スクリュー１２５、１２６は係合筒１３８の内周面で斜めに位置するようにネジ状に加工してある。
【００５０】
ベース１１５の周囲は、平坦なベース１１５の表面から起立するように周壁１１６、１１７が形成してあり、周壁１１６、１１７によりベース１１５の周囲には帯のような枠が形成されて、この周壁１１６、１１７によって本体１１１には空間が形作られることになる。ベース１１５の円弧形となった内周の中央には中心に向けて鋭角となったＶ突起１２４を形成してあり、周壁１１６、１１７の終端付近にはそれぞれピン穴１２２、１２３が開口してある。そして、ベース１１５の終端（馬蹄形の開口に相当する位置）には直線状となった係合面１１８を形成してある。
【００５１】
次に、蓋部１１２の全体は、上部は円弧形で左右側面がなだらかな双曲線を描いた銀杏の葉のような形（三味線のバチのような形）となっていて、銀杏の葉の円形部分に相当する位置の中央でヒンジ１１３と連結してある。蓋部１１２はヒンジ１１３によって開閉動することができ、本体１１１に向けて折り畳むと本体１１１の表面を覆うことができるようになっている。この蓋カバー１２７のヒンジ１１３に近い位置の中央には、前述した弁ピン１２１に嵌め合わせられる弁ピン穴１２９が形成されていて、蓋カバー１２７の円弧形となった両側の位置にはピン１３０、１３１が突起させてある。そして、蓋カバー１２７は上部（図７で右側）から下部（図７で左側）に向けては、その左右の幅が狭くなるようなカーブを描いていて、蓋カバー１２７の下端（図７で左端）には鍵状となった引っ掛け１２８を形成してある。蓋カバー１２７をヒンジ１１３を中心として曲げて本体１１１に接近させると、弁ピン穴１２９には弁ピン１２１が入り込み、ピン１３０はピン穴１２２に入り込み、ピン１３１はピン穴１２３に入り込み、引っ掛け１２８は係合面１１８の下面と噛み合うことになる。
【００５２】
また、このバルブ機構１４の内部には弁膜１３４が収納されていて、弁膜１３４は柔軟性のある薄いフィルム膜で構成され、その一部には係合穴１３５が開口してあり、係合穴１３５の近くにはＶ字形にノッチ１３６が切り込んである。この弁膜１３４では、係合穴１３５に弁ピン１２１を挿入し、ノッチ１３６をＶ突起１２４と嵌めることで、弁膜１３４全体をベース１１５の内部空間に保持することができるようになっている。
【００５３】
キャップ１６は射出形成などにより一体に形成されたものであり、中央には前後に大きく開口した係合筒１４１があり、係合筒１４１の内部にはその軸線と直角となるように補強のための支柱１４４が架け渡してある。係合筒１４１の外周には一対の爪１４２、１４３が突出してあり、係合筒１４１の一端（図７で下面側）の開口には外方に広がった平面のフランジ１４５が形成してある。この係合筒１４１はバルブ機構１４の係合筒１３８に挿入することができ、一対の爪１４２、１４３はそれぞれスクリュー１２５、１２６と噛み合わせることができるものである。
【００５４】
次に、バルブ機構１４とキャップ１６をマスクカバー１２、フィルター１３に組み合わせる手順について、図８、図９、図１０により説明する。なお、図２ではマスク１１に組み立てられる前の状態を示したものであり、図１はマスク１１として組み立てられた後の状態を示すものであり、これらの図１、図２も参考にされると理解が容易となる。
【００５５】
まず、バルブ機構１４の組立てでは、弁膜１３４の係合穴１３５を弁ピン１２１に挿入し、ノッチ１３６をＶ突起１２４に合わせて、ベース１１５の内部空間に弁膜１３４を保持する。その後、蓋カバー１２７をヒンジ１１３を中心として折り曲げ、弁ピン穴１２９を弁ピン１２１に、ピン１３０をピン穴１２２に、ピン１３１をピン穴１２３に嵌め込み、引っ掛け１２８の鍵状となった先端を係合面１１８の縁に噛み合わせる。すると、蓋カバー１２７が本体１１１と一体となり、ベース１１５内の弁膜１３４が内部に保有されたことになり、この状態が図６で示され、その断面は図８で示される。
【００５６】
次に、マスクカバー１２とフィルター１３を図２で示したように離した状態から、フィルター１３をマスクカバー１２の裏面に密着させ、通気穴２１と通気穴２９の位置を合わせる（図示していないが、通気穴２２と通気穴３０も位置合わせする）。マスクカバー１２とフィルター１３が密着した状態が図８であり、この状態でバルブ機構１４の係合筒１３８を図８中で通気穴２１、２９に左側から右側に挿入し、バルブ機構１４の本体１１１をマスクカバー１２の表面に密着させる。そして、キャップ１６の係合筒１４１を図８において右側から左側に向け、通気穴２１、２９に挿入したままの係合筒１３８の内部に挿入する。さらに、キャップ１６全体を回転させ、図９で示すように、爪１４２、１４３をスクリュー１２５、１２６の斜面に接触させてねじ込むと係合筒１４１は係合筒１３８の奥まで移動し、フランジ１４５の側面はフィルター１３の裏面と密着するようになる。
【００５７】
このようにして、キャップ１６をバルブ機構１４にねじ込むと、図１０で示すように、マスクカバー１２とフィルター１３はバルブ機構１４のベース１１５の内面とキャップ１６のフランジ１４５の内面とで左右から挟み込まれた状態となり、結果としてマスクカバー１２、フィルター１３、バルブ機構１４、キャップ１６は一体となり、マスク１１が組立てられたことになる。図示しないが、バルブ機構１５、キャップ１７も同様に、マスクカバー１２、フィルター１３を両側から挟み込むことになる。
【００５８】
組み立てられたマスク１１の作用について説明する。
【００５９】
図２の部品群から組み立てられたマスク１１を使用するには、フィルター１３の裏側（図２において右側）を鼻、口に当て、耳掛け紐２３を耳Ｄに掛け、耳掛け紐２４を反対側の耳に掛ける。耳掛け紐２３、２４が耳Ｄに掛けられた仮の状態でアジャスター２５、２６を前後に移動させて、耳掛け紐２３、２４がピッタリと耳Ｄに保持されるように調整する。そして、マスクカバー１２の表面から中央上部を指で押してノーズフィッター９３を変形させ、鼻Ｃの曲面と一致するように調整する。ノーズフィッター９３は柔らかくて変形できる金属などで形成されているので、フィルター１３の上部が鼻Ｃの曲面と密着するように変形されてその形状を維持することができる。このようにして、頭部Ａの顔面にマスク１１が着用された状態が図１であり、マスク１１により鼻Ｃ、口が隠されて頬Ｂの大部分が覆われることになる。
【００６０】
このようにしてマスク１１を着用したならば、人体はマスク１１を介して外気を吸気し、人体から呼気することになり、人込みや病院などのウイルス、細菌が浮遊している環境で人体を保護することができる。人体が吸気すると、図１０において右側のフィルター１３側は負圧となり、弁膜１３４はベース１１５の面と密着して閉鎖し、係合筒１３８、１４１の内部を外気は通過できず、吸気はマスクカバー１２とフィルター１３を通過することになる。外気がフィルター１３を通過する際には、外気に浮遊していたウイルス、花粉、バイ菌、塵埃などはこのフィルター１３によって捕集され、人体の肺に侵入することを防止している。フィルター１３では、例えば抗ウイルス性のある不織布、バクテリア捕集機能を持つ不織布などで四層構造に構成してあるため、ウイルスの感染価を低下させ、バクテリア、花粉、バイ菌、塵埃などを効率的に捕集して人体への悪影響を防止することができる。また、フィルター１３は不織布を四層に厚く重ね合わせたため、保湿性が高く、肌に柔らかく接触するため不快感が少なくなる。
【００６１】
また、人体から呼気する場合には、図１１で示すようにフィルター１３の右側が正圧となるため、弁膜１３４はその弾性により図１１中で左側に曲げられ、ベース１１５から離れて係合筒１３８の通気穴１１９は開放される。人体からの呼気は図１１における矢印で示すような流れてとなり、マスクカバー１２とフィルター１３を通過することなく外部に円滑に呼気される。
【００６２】
図１２、図１３は本考案の第二の実施形態を示すものである。
【００６３】
図１２はマスク１１の部品を分解して示したものであり、前述した図２に対応するものであり、図２と相違するのは耳掛け紐２３、２４の終端をマスクカバー１２に取り付け方法が相違している。耳掛け紐２３、２４を取り付け方法は図１３により詳しく説明されている。
【００６４】
図１３において、耳掛け紐２３の一端はハトメ７１に挿入され、その終端は外側に折り曲げられて曲げ部１６１となっていて、耳掛け紐２３の他端はハトメ７２に挿入され、その終端は外側に折り曲げられて曲げ部１６２となっている。曲げ部１６１、１６２の先端は耳ライン４３、５９の位置にまで接近させて配置してある。同様に、耳掛け紐２４の一端はハトメ７３に挿入され、その終端は外側に折り曲げられて曲げ部１６３となっていて、耳掛け紐２４の他端はハトメ７４に挿入され、その終端は外側に折り曲げられて曲げ部１６４となっている。曲げ部１６３、１６４の先端は耳ライン４４、６０の位置にまで接近させて配置してある。
【００６５】
そして、右前布３５、左前布３６、右メッシュ布３７、左メッシュ布３８、上縁布８１、右縁布８２、左縁布８３、下縁布８４の各部材を縫い上げる際には、耳ライン４３、５９の辺に右縁布８２をＶ字形となるようにその辺全域に被せ、同時に曲げ部１６１、１６２の先端を右縁布８２の内側に入れ込む。その後、ミシンにより右縁布８２ごと右前布３５、右メッシュ布３７の表裏を縫い上げ、同時に曲げ部１６１、１６２の先端を右縁布８２の内側に縫い込んでしまう。同様に、耳ライン４４、６０の辺に左縁布８３をＶ字形となるようにその辺全域に被せ、同時に曲げ部１６３、１６４の先端を左縁布８３の内側に入れ込む。その後、ミシンにより左縁布８３ごと右前布３６、右メッシュ布３８の表裏を縫い上げ、同時に曲げ部１６３、１６４の先端を左縁布８３に縫い込んでしまう。
【００６６】
このように縫い上げることで、図１３右上で拡大した図に示すように、曲げ部１６３は左縁布８３の内側に位置して縫い合わされ、耳掛け紐２４の終端はハトメ７３から抜け落ちることがなくなる。他の曲げ部１６１、１６２、１６４でも同じように縫い上げられる。
【００６７】
以上の実施形態で説明したように、本実施形態であればマスクの表面は平坦な布地であることから、各種の図柄、色彩を染め上げたり印刷した布地を使用することがき、単色や白色ではなく好みの図柄や色彩を表出させることができる。従来のような不織布の素材をそのまま表出させたマスクであっては単色であり、着衣の色彩とマッチングしないこともあったが、図柄や色彩を自由に選択することができるため、着衣の図柄、色彩、デザインに合わせたマスクを使用することが可能となる。
【００６８】
マスクでは、マスクカバーとフィルターが分解することができ、フィルターは使用頻度により取り外すことができ、新しいフィルターを交換することができるので常に衛生的に使用でき、しかも、ウイルス、花粉の捕集能力が良好な状態で使用することができる。
【００６９】
マスクには弁機構が取り付けられているため、吸気の際には弁が閉じ、呼気の際には弁が開くことになる。このため、吸気する時には外気はフィルターを通過して濾過され、ウイルスや花粉などが捕集される。呼気の時には、息は弁機構を通過して外部に排出されるため人体への負担が軽くなる。
【００７０】
弁機構をマスクに取り付けるには、マスクの開口に弁機構を挿通し、後側からキャップをねじ込むだけで組み立てることができ、操作が簡単である。
【図面の簡単な説明】
【００７１】
【図１】図１は、本考案のマスクの第一の実施形態を人の顔面に装着した状態を示す斜視図である。
【図２】図２は、本考案のマスクを構成する部品をそれぞれ組み立てる前の状態を示す分解斜視図である。
【図３】図３は、マスクカバーを構成する部材から縫製する手順を説明した説明図である。
【図４】図４は、マスクカバーを構成する部材から縫製する手順を説明した説明図である。
【図５】図５は、フィルターを構成する部材から組み立てる手順を説明した説明図である。
【図６】図６は、弁機構とキャップを拡大して説明する斜視図である。
【図７】図７は、弁機構とキャップの構造を分解して各部を詳細に説明する斜視図である。
【図８】図８は、マスクカバーとフィルターに弁機構とキャップを組み合わせる前の状態を示す断面図である。
【図９】図９は、弁機構とキャップのねじ込みの構造を説明する斜視図である。
【図１０】図１０は、マスクカバーとフィルターに弁機構とキャップを固定した状態を示す断面図である。
【図１１】図１１は、マスクカバーとフィルターに弁機構とキャップを固定し、呼気によって弁が開いた状態を示す断面図である。
【図１２】図１２は、本考案のマスクの第二の実施形態を示し、マスクを構成する部品をそれぞれ組み立てる前の状態を示す分解斜視図である。
【図１３】図１３は、本考案のマスクの第二の実施形態において、マスクカバーを構成する部材から縫製する手順を説明した説明図である。
【符号の説明】
【００７２】
１１  マスク
１２  マスクカバー
１３  フィルター
１４、１５  バルブ機構
１６、１７  キャップ
２１、２２  通気穴
２３、２４  耳掛け紐
２５、２６  アジャスター
２７、２８  リング
２９、３０  通気穴
３５  右前布
３６  左前布
３７  右メッシュ布
３８  左メッシュ布
３９、４０  鼻ライン
４１、４２  上ライン
４３、４４  耳ライン
４５、４６  下ライン
４７、４８  弁穴
４９、５０、５１、５２  ハトメ穴
５５、５６  鼻ライン
５７、５８  上ライン
５９、６０  耳ライン
６１、６２  下ライン
６３、６４  弁穴
６５、６６、６７、６８  ハトメ穴
７１、７２、７３、７４  ハトメ
７６  縫い目
８１  上縁布
８２  右縁布
８３  左縁布
８４  下縁布
８６、８７、８８、８９  結び目
９１  右フィルター片
９２  左フィルター片
９３  ノーズフィッター
９６、９７  鼻ライン
９８、９９  上ライン
１００、１０１  耳ライン
１０２、１０３  下ライン
１０４、１０５  弁穴
１０７  接合線
１１１  本体
１１２  蓋部
１１３  ヒンジ
１１５  ベース
１１６、１１７  周壁
１１８  係合面
１１９  通気穴
１２０  支柱
１２１  弁ピン
１２２、１２３  ピン穴
１２４  Ｖ突起
１２５、１２６  スクリュー
１２７  蓋カバー
１２８  引っ掛け
１２９  弁ピン穴
１３０、１３１  ピン
１３４  弁膜
１３５  係合穴
１３６  ノッチ
１３８、１４１  係合筒
１４２、１４３  爪
１４４  支柱
１４５  フランジ
１６１、１６２、１６３、１６４  曲げ部
【図１】
0003155829.tif 000003
【図２】
0003155829.tif 000004
【図３】
0003155829.tif 000005
【図４】
0003155829.tif 000006
【図５】
0003155829.tif 000007
【図６】
0003155829.tif 000008
【図７】
0003155829.tif 000009
【図８】
0003155829.tif 000010
【図９】
0003155829.tif 000011
【図１０】
0003155829.tif 000012
【図１１】
0003155829.tif 000013
【図１２】
0003155829.tif 000014
【図１３】
0003155829.tif 000015